(57)【特許請求の範囲】
【請求項１】
廃品取込方向に回転し得る位置固定の圧潰ローラーと、該位置固定圧潰ローラーの側方に設けられ、回動自在なリンクによって支持されて前記位置固定圧潰ローラーに対する間隔を調整可能な廃品取込方向に回転可能の上部圧潰ローラーと、油圧シリンダーと、前記上部圧潰ローラーの下方に設けられかつ前記油圧シリンダーのロッドに回動可能に連結されたリンクに支持され、運転時に位置固定圧潰ローラーに弾性的に圧接され廃品取込方向に回転可能の下部圧潰ローラーとよりなり、運搬自動車の荷台に前後方向に移動可能に設けられ、この装置によって圧潰した廃品が荷台の後方に排出されるようになっており、未作業状態では荷台の後方に置かれるとともに、潰された廃品の排出進行に伴って荷台の前方に移動することを特徴とする廃品圧潰装置。
【請求項２】
位置固定圧潰ローラー、上部圧潰ローラー、下部圧潰ローラーのそれぞれの表面に凹凸が設けられた請求項１に記載の廃品圧潰装置。
【発明の詳細な説明】
【０００１】
【発明の属する技術分野】
本発明は、大、小の空缶やペットボトル（ポリエチレンテレフタレート製ボトル）等の廃品を圧潰する廃品圧潰装置に関するものである。
【０００２】
【従来の技術】
空缶等の廃品は、従来、取扱の便のために、圧力をかけて潰すことが行われている。また、圧潰した廃品は、通常、運搬自動車に積載して搬出している。
【０００３】
【発明が解決しようとする課題】
従来の空缶圧潰装置は、主としてジュース缶やビール缶等のある範囲の大きさを有するものを対象としているので、圧潰ローラーの間隔が一定である。従って、石油缶や塗料缶等の極端に大きなものを圧潰することはできなかった。
【０００４】
また、現在のところ、空缶等の廃品の圧潰は、自主的に行われており、法的に義務づけられたものではない。従って、その廃品の回収搬出は、圧潰されたものと、圧潰されていないものが一緒に混ざった状態で行われることになる。これらの回収廃品を最終的に圧潰するとすれば、前もって自主的に行った圧潰が無駄な作業となる。また、空缶等の廃品の圧潰を義務づけることにでもなれば、少なくともゴミ集積場単位に廃品圧潰装置を備えておく必要がある。
【０００５】
本発明は、大、小の空き缶、ペットボトル等、大きさの異なる様々な廃品を１つの廃品圧潰装置で圧潰し得るようにし、且つ、その圧潰と運搬自動車の荷台への積載を同時に可能とすることを目的としている。
【０００６】
【課題を解決するための手段】
本発明の廃品圧潰装置は、廃品取込方向に回転し得る位置固定の圧潰ローラーと、該位置固定圧潰ローラーの側方に設けられ、回動自在なリンクによって支持されて前記位置固定圧潰ローラーに対する間隔を調整可能な廃品取込方向に回転可能の上部圧潰ローラーと、油圧シリンダーと、前記上部圧潰ローラーの下方に設けられかつ前記油圧シリンダーのロッドに回動可能に連結されたリンクに支持され、運転時に位置固定圧潰ローラーに弾性的に圧接され廃品取込方向に回転可能の下部圧潰ローラーとよりなり、運搬自動車の荷台に前後方向に移動可能に設けられ、この装置によって圧潰した廃品が荷台の後方に排出されるようになっており、未作業状態では荷台の後方に置かれるとともに、潰された廃品の排出進行に伴って荷台の前方に移動することを特徴とするものである。
【０００７】
位置固定圧潰ローラー２、上部圧潰ローラー３、下部圧潰ローラー４のそれぞれの表面に凹凸を設けるとよい。
【０００９】
【発明の実施の形態】
先ず、図１及び図２を参照し、本発明の廃品圧潰装置の実施形態について説明する。
【００１０】
本発明の廃品圧潰装置を運搬自動車の荷台に搭載した図２に示すように、この廃品圧潰装置は、上部が廃品投入用枠となっている横長コ字状フレーム１を備えている。そのフレーム１には、長さ方向、即ち、図２におけるトラックの荷台２６の幅方向に、３本の圧潰ローラーが配されている。図１は、この廃品圧潰装置を、荷台２６の側面側から見た図である。
【００１１】
３本の圧潰用ローラーの内、フレーム１の左側には位置固定された圧潰ローラー２が設けられており、フレーム１の右側には位置固定圧潰ローラー２に対して接近、離隔が可能な上部圧潰ローラー３と、その下方の下部圧潰ローラー４が設けられている。
【００１２】
各圧潰ローラー２、３、４は、硬質の金属性であり、それらの表面には廃品の食い込み（送り込み）、圧潰を効率よくするために、凹凸が設けられている。位置固定圧潰ローラー２の凹凸は、最も粗く、例えば、高さ５ｍｍ程度の歯車状の畝であり、上部圧潰ローラー３、下部圧潰ローラー４では、ヤスリ状となっている。凹凸の態様はこれらに限定されるものではなく、全く設けなくても、ある程度の圧潰は可能である。
【００１３】
上部圧潰ローラー３及び下部圧潰ローラー４は、それぞれの軸によりチェーンケース５に回転可能に支持されている。そして、それらの軸には、リンク６、リンク７のそれぞれの一端がそれぞれ回動可能に支持されている。
【００１４】
一方、フレーム１に設けた支点８には中央リンク９の中央部が回動可能に支持されている。リンク６の他端は、その中央リンク９の一端にピン１０により回動可能に連結されれている。上記の支点８は、中央リンク９に大きな力がかかっても捩じれないように、比較的に大きなものとしてある。
【００１５】
また、フレーム１に設けられたガイド１３には、ロッド１２ａを備えた油圧シリンダー１２が、それに固定された軸１１により、左右に移動可能に支持されている。この油圧シリンダー１２には、不図示の油圧モーターを作動して後述する駆動ギヤ１４を回転させるときに、同時にロッド１２ａを延ばすように油圧がかけられる。この油圧シリンダー１２は、ダンパーの働きをするものである。
【００１６】
中央リンク９の他端は、上記の油圧シリンダー１２に設けた軸１１に回動可能に連結けられている。また、油圧シリンダー１２のロッド１２ａの先端は、リンク７の上部に回動可能に取付けられている。そのリンク７の下端には、ギア１６の軸が回転可能に取付けられている。そのギア軸はフレーム１の固定位置に回転可能に支持されている。
【００１７】
次に、各圧潰ローラー２、３、４の駆動系統について説明する。
【００１８】
各圧潰ローラー２、３、４は、油圧モーターによって回転する駆動ギア１４によって駆動される。即ち、位置固定圧潰ローラー２には、同軸に大ギア１５が固定されており、駆動ギア１４と噛合している。リンク７の下端に取付けられたギア１６は、大ギア１５と噛合している。ギア１６の軸にはチェーン輪１７が固定されている。下部圧潰ローラー４の軸には、２つのチェーン輪１８、１９が固定されており、上部圧潰ローラー３の軸にはチェーン輪２０が固定されている。そして、チェーン輪１７とチェーン輪１８及びチェーン輪１９とチェーン輪２０の間には、それぞれエンドレスのチェーン２１、２２が掛け渡されている。
【００１９】
位置固定圧潰ローラー２及び上部圧潰ローラー３のそれぞれの上部には、逆ハ字状に配された左右一対のシュートプレート２３、２４が配されている。シュートプレート２４は、上端でフレーム１に揺動可能に支持されており、その下端はチェーンケース５の上端に設けられた支持ロッド２５に添えるように乗せられている。従って、チェーンケース５、上部圧潰ローラー３が左右動するときに、その動きに追随してシュートプレート２４も左右に揺動する。
【００２０】
このような構成の廃品圧潰装置は、通常、図２に示すように、運搬自動車の荷台２６に載置して用いる。この廃品圧潰装置は、フレーム１のコ字状構成により、圧潰した廃品が荷台２６の後方に排出されるようになっており、未作業状態では荷台２６の後方に置かれ、圧潰作業が進み、潰された廃品の排出進行に伴って荷台の前方に移動される。
【００２１】
そのようにするために、荷台２６の両端には、チェーン輪２８、２９が配され、それらの間にチェーン２７が掛け渡されている。そして、一方のチェーン輪２８は、油圧モーターによって駆動される。本発明の廃品圧潰装置は、フレーム１をチェーン２７の一点２７ａに固定することによって、荷台２６の前後方向に移動可能とすることができる。上記したように、廃品圧潰装置は、圧潰作業中には荷台の前方に移動するが、荷下ろし時には、荷台２６前部のリフト動作に伴って後退させると、排出をスムーズに行うことができる。
【００２２】
このような構成の廃品圧潰装置においては、脂圧モーターが作動すると、各圧潰ローラー２、３、４が駆動ギア１４、大ギア１５、ギア１６、チェーン２１、チェーン２２を介して図１に示す矢印方向にそれぞれ回転する。それと同時に油圧シリンダー１２のロッド１２ａが伸び、下部圧潰ローラー４が位置固定圧潰ローラー２に圧接される。
【００２３】
そして、石油缶等の大きなものを圧潰しようとするときには、動力又は手動にて油圧シリンダー１２を左側に移動させ、中央リンク９、リンク６を介して上部圧潰ローラー３を右側に寄せ、位置固定圧潰ローラー２との間隔をある程度大きくする。油圧シリンダー１２の左側への移動に伴ってロッド１２ａを左側へ移動しようとするが、油圧シリンダー１２にはダンパー作用があり、下部圧潰ローラー４は位置固定圧潰ローラー２に押圧された状態を維持している。そして、潰された廃品が通過するときに、下部圧潰ローラー４がロッド１２ａを押し、大きさに応じて右側に移動する。石油缶等は、先ず、位置固定圧潰ローラー２と上部圧潰ローラー３によって予備的に潰され、最終的に位置固定圧潰ローラー２と下部圧潰ローラー４によって本格的に潰される。小さな缶等を圧潰する場合は、上記とは逆に、即ち、上部圧潰ローラー３を左側に寄せて、同様に潰される。
【００２４】
【発明の効果】
本発明は、以上説明したように構成されているので、以下に記載するような効果を奏する。
【００２５】
即ち、小さなジュース等の缶から大きな石油缶等まで極端に大きさの異なる廃品を圧潰することができるようになった。また、将来、空き缶等の排出時に圧潰が義務付けられたとしても、運搬自動車の荷台へ積載することにより、点在するゴミ収集場毎に廃品圧潰装置を備える必要はなく、しかも、その圧潰と運搬自動車の荷台への積載を同時に行うことができる。更に、荷台の前後に移動可能であるので、圧潰した廃品の荷積み及び荷下ろしを効率よく、スムーズに行うことができる。
【図面の簡単な説明】
【図１】本発明の廃品圧潰装置の側面図である。
【図２】本発明の廃品圧潰装置を荷台に搭載した運搬自動車の斜視図である。
【符号の説明】
１    フレーム
２    位置固定圧潰ローラー
３    上部圧潰ローラー
４    下部圧潰ローラー４
１２  油圧シリンダー
５    チェーンケース
６    リンク
７    リンク
９    中央リンク
１４  駆動ギア
１５  大ギア
１６  ギア
２１  チェーン
２２  チェーン
２６  荷台
【図１】
0004309487.tif 000002
【図２】
0004309487.tif 000003